(57)【要約】【課題】さまざまな角度で折り曲げることができ、使用の利便性と耐圧力強度が高い２組の板体の連結、折畳み構造である板体折畳みの連結構造を提供する。【解決手段】板体折畳みの連結構造は、さまざまな角度に折畳み可能な板体１００組合せ構造を形成し、数個の連結フレーム１０上に数個の板片１５を組合せ、連結フレーム１０末端には歯車１２を設置し、２個の連結フレーム１０末端にはさらにジョイント２０を設置し、ジョイント２０は軸心２１を備え、連結フレーム１０を可動状態で組合せ、これにより２個の連結フレーム１０は折り曲げ、また展開して平面状とし、或いは折畳むことができ、多種の実用効果を達成し、しかも歯車１２が噛み合うことで、耐圧力強度を高める効果を実現することができる。【選択図】図１
0003166045.tif 000002
【実用新案登録請求の範囲】
【請求項１】
板体折畳みの連結構造は、数個の連結フレーム上に、数個の板片を組み合わせて、１組の板体を構成し、
２組の板体両端を可動状態で一体に組合せ、該２組の板体の各連結フレーム末端には、歯車、軸心孔を設置し、
２個の連結フレームの歯車は、相互に噛み合い一体を形成することができ、
さらに、ジョイントを設置し、２個の該連結フレームを連接し、該ジョイントは、軸心を備え、
該軸心は、該連結フレームの軸心孔に可動状態で組合せ、これにより該２個の連結フレームは一体に連結され、角度の転回が可能となることを特徴とする板体折畳みの連結構造。
【請求項２】
前記連結フレーム末端側面には、伸縮孔を設置し、バネ、定位スチールボールを設置し、
前記ジョイントの側面には、定位槽を設置し、これにより該定位スチールボールは、該定位槽中に嵌り、
人為的な回転力を受けていない時には、該定位スチールボールは阻害を形成し、角度を固定することを特徴とする請求項１に記載の板体折畳みの連結構造。
【考案の詳細な説明】
【技術分野】
【０００１】
本考案は板体折畳みの連結構造に関し、特にさまざまな角度で折り曲げることができ、使用の利便性と耐圧力強度が高い２組の板体の連結、折畳み構造である板体折畳みの連結構造に関する。
【背景技術】
【０００２】
２枚の板片の、従来の連結組合せ、折畳み構造は、「可動接続片」式構造を呈している。
すなわち、可動接続片を２枚状構造とし、ある角度に折り曲げられるようにし、２枚の板片は可動接続片にそれぞれ固定され、可動接続片により、２枚の板片を接続することで、２枚の板片を折畳み可能とするものである。
【０００３】
しかし、従来の可動接続片には、以下のような欠点が存在する。
（１）片状の可動接続片の耐圧力強度は高くないため、より大きな重力を受け止めることができず、ベッド板の組合せなどには適用できない。
（２）可動接続片は角度を変えることができるだけで、角度を固定することはできない。
（３）可動接続片は「直線」状物の連結にのみ適用され、「円角度」の連接には適していない。
本考案は、従来の板体折畳みの連結構造の上記した欠点に鑑みてなされたものである。
【考案の概要】
【考案が解決しようとする課題】
【０００４】
本考案が解決しようとする課題は、さまざまな角度の屈折が可能で、耐圧力強度が大きい板体折畳みの連結構造を提供することである。
【課題を解決するための手段】
【０００５】
上記課題を解決するため、本考案は下記の板体折畳みの連結構造を提供する。
板体折畳みの連結構造は、ジョイントを設置し、２個の連結フレームを可動状態で接続して組合せ、
該ジョイントは、軸心を備え、該軸心は連結フレームを可動状態で組合せ、
該数個の連結フレームには、数個の板片を並べて組合せ、こうして板体を構成し、
該連結フレーム末端には、歯車を設置し、該２個の連結フレームの歯車は相互に噛み合い、
こうして、２組の板体の組合せ連結を形成し、折り曲げて角度を形成し、折畳んで体積を縮小させ、耐圧力強度を大幅に向上させることができる。
【考案の効果】
【０００６】
本考案の板体折畳みの連結構造は、耐圧力強度が大きく、使用の利便性が高く、角度を変え、また角度を定位できるため、ベッド板、ベッドフレームに用いることができ、また重い物を置くパレット、棚などの用途にも適用可能で、極めて高い実用性を備える。
【図面の簡単な説明】
【０００７】
【図１】本考案の立体分解図である。
【図２】本考案の組合せ立体図である。
【図３】図２における、定位スチールボールの状態を示す断面図である。
【図４】本考案の折り曲げ角度を示す断面図である。
【図５】図４における、定位スチールボールの状態を示す断面図である。
【図６】本考案の折畳み状態を示す断面図である。
【考案を実施するための形態】
【０００８】
以下に図面を参照しながら本考案を実施するための最良の形態について詳細に説明する。
【実施例】
【０００９】
本考案板体折畳みの連結構造は、図１、２、３、４に示すように、数個の連結フレーム１０上に、数個の板片１５を組み合わせて、１組の板体１００を構成する。
【００１０】
２組の該板体１００は、両端を可動状態で一体に組合せ、２組の該板体１００の各連結フレーム１０末端には、歯車１２、軸心孔１１を設置する。
【００１１】
２個の該連結フレーム１０の歯車１２は、相互に噛み合い一体を形成することができ、さらに、ジョイント２０を設置し、２個の該連結フレーム１０を連接する。
【００１２】
該ジョイント２０は、軸心２１を備える。
【００１３】
該軸心２１は、該連結フレーム１０の軸心孔１１に可動状態で組合せ、さらに挿入ピン２３（或いはＣ型フック）を対応させ、離脱を防止する。
これにより、該２個の連結フレーム１０は一体に連結され、角度の転回が可能となる。
【００１４】
また、該連結フレーム１０末端側面には、伸縮孔１３を設置し、バネ１４０、定位スチールボール１４を設置する。
【００１５】
該ジョイント２０の側面には、定位槽２２を設置し、これにより該定位スチールボール１４は、該定位槽２２中に嵌る。
【００１６】
こうして、人為的な回転力を受けていない時には、該定位スチールボール１４は阻害を形成し、角度を固定する効果を形成する。
【００１７】
本考案の作用、効果について、以下に詳述する。
図２、３に示すように、該２組の板体１００は、展開状態とすることができる。
【００１８】
この時、該ジョイント２０軸心２１の連結と該歯車１２の噛み合いにより、耐圧力強度を高める効果が生まれる。
これにより、ベッド板、パレットの用途に使用可能となる。
【００１９】
図４、５に示すように、該２組の板体１００の角度を転回させ逆Ｖ字状とし、これによりサポートフレーム用途（例えば、その上に布団を置き、干す）に使用することができる。
【００２０】
この時、該定位スチールボール１４は、該ジョイント２０の定位槽２２に係合され、阻害効果を発揮し、該角度の定位を達成することができる。
【００２１】
図６に示すように、該２個の板体１００は回転させ、相互にぴったりとくっつけ折畳み状態とすることができ、これにより体積を縮小することができる。
【００２２】
上記したように、本考案の構造は、耐圧力強度が大きく、使用の利便性が高く、角度を変え、また角度を定位できるため、ベッド板、ベッドフレームに用いることができ、また重い物を置くパレット、棚などの用途にも適用可能で、極めて高い実用性を備える。
【００２３】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２４】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００２５】
１００    板体
１０      連結フレーム
１１      軸心孔
１２      歯車
１３      伸縮孔
１４      定位スチールボール
１４０    バネ
１５      板片
２０      ジョイント
２１      軸心
２２      定位槽
２３      挿入ピン
【図１】
0003166045.tif 000003
【図２】
0003166045.tif 000004
【図３】
0003166045.tif 000005
【図４】
0003166045.tif 000006
【図５】
0003166045.tif 000007
【図６】
0003166045.tif 000008